(57)【要約】【課題】記憶装置に衝撃を伝え難くすることができるとともに、記憶装置とコネクタとの位置合わせを容易に行うことができる電子機器を提供する。【解決手段】筐体１０は、底壁１０ｆ及びこの底壁１０ｆから上向きに突出する凸部３４ａ，３４ｂを有する。上壁６０ａを有するケース６０は、凸部３４ａ，３４ｂに支持された状態で筐体１０の内部に収容される。ＨＤＤ５１は、ケース６０に支持される。柔軟なケーブル５４は、ＨＤＤ５１に接続されるコネクタ５３を有する。筐体１０の底壁１０ｆとＨＤＤ５１との間、及び、ケース６０の上壁６０ａとＨＤＤ５１との間には夫々隙間Ｓ１，Ｓ２が設けられている。筐体１０の底壁１０ｆとＨＤＤ５１との間の隙間Ｓ１にはケーブル５４が通っている。【選択図】      図３
2005157790.tif 000002
【特許請求の範囲】
【請求項１】
底壁、及び、この底壁から上向きに突出する凸部を有する筐体と、
上壁を有し、上記凸部に支持された状態で上記筐体の内部に収容されるケースと、
上記ケースに支持された記憶装置と、
この記憶装置に接続されるコネクタを有するケーブルと、を具備し、
上記筐体の底壁と上記記憶装置との間、及び、上記ケースの上壁と上記記憶装置との間に夫々隙間が設けられているとともに、上記筐体の底壁と上記記憶装置との間の隙間に上記ケーブルが通っていることを特徴とする電子機器。
【請求項２】
上記筐体は、上記底壁と対向する上壁と、上記上壁に取付けられたキーボードとを有しており、上記記憶装置は、上記キーボードの下方に位置していることを特徴とする請求項１に記載の電子機器。
【請求項３】
上記筐体は、上記底壁と対向する上壁と、この上壁の外面に設けられたパームレストとを有しており、上記記憶装置は、上記パームレストの下方に位置していることを特徴とする請求項１に記載の電子機器。
【請求項４】
上記ケースは、角部を有しており、上記角部は、上記底壁と上記キーボードとの間に挟まれていることを特徴とする請求項２に記載の電子機器。
【請求項５】
上記ケースは、その上壁の外面に上記キーボードを受けるリブを有していることを特徴とする請求項２に記載の電子機器。
【請求項６】
上記ケースは、その上壁に孔部を有しており、上記リブは、上記孔部の開口縁部に設けられていることを特徴とする請求項５に記載の電子機器。
【請求項７】
上記ケースは、下側が開放していることを特徴とする請求項１乃至６のいずれか１項に記載の電子機器。
【請求項８】
上記ケースは、樹脂製であることを特徴とする請求項１乃至６のいずれか１項に記載の電子機器。
【請求項９】
上記ケースは、上記記憶装置を間に挟んで互いに向かい合う一対の側壁を有しており、上記一対の側壁に、上記記憶装置に取り外し可能に保持する爪部が設けられていることを特徴とする請求項１乃至６のいずれか１項に記載の電子機器。
【請求項１０】
上記コネクタとは別のコネクタと、この別のコネクタと接続される上記ケーブルとは別のケーブルとを具備しており、上記別のケーブルは、上記筐体の底壁と上記記憶装置との間の隙間を通っていることを特徴とする請求項１乃至６のいずれか１項に記載の電子機器。
【発明の詳細な説明】
【技術分野】
【０００１】
本発明は、記憶装置を備えるポータブルコンピュータのような電子機器に関する。
【背景技術】
【０００２】
ＰＯＳターミナルのような端末装置としては、記憶装置を樹脂等の可撓性部材からなるフレームに取付けた状態で端末装置に搭載したものが知られている。
【０００３】
端末装置の内部には、ベース板が設けられている。フレームは、このフレームの一部をベース板に設けられた穴に差し込む等することによって、ベース板に取付けられている。記憶装置は、フレームに搭載されている（例えば、特許文献１参照。）。
【特許文献１】特開平１０−１４４０６６号公報（段落００２６〜段落００６８、図１９）
【発明の開示】
【発明が解決しようとする課題】
【０００４】
ところで、電子機器では、記憶装置をプリント配線板のような制御部と電気的に接続させた状態で電子機器の内部に収容している。この際、制御部と電気的に接続されるコネクタを記憶装置が配置される場所に予め固定しておき、記憶装置を電子機器に収容するのと同時に、この記憶装置と上記コネクタとを機械的且つ電気的に接続させるようにしている。そのため、記憶装置とコネクタとの間には、高い位置決め精度が要求される。したがって、従来の電子機器では、記憶装置とコネクタとの位置合わせが難しいという問題がある。
【０００５】
本発明は、このような事情にもとづいてなされたもので、記憶装置に衝撃を伝え難くすることができるとともに、記憶装置とコネクタとの位置合わせを容易に行うことができる電子機器を提供することを目的とする。
【課題を解決するための手段】
【０００６】
本発明の１つの形態に係る電子機器は、底壁、及び、この底壁から上向きに突出する凸部を有する筐体と、上壁を有し、上記凸部に支持された状態で上記筐体の内部に収容されるケースと、上記ケースに支持された記憶装置と、この記憶装置に接続されるコネクタを有するケーブルと、を具備し、上記筐体の底壁と上記記憶装置との間、及び、上記ケースの上壁と上記記憶装置との間に夫々隙間が設けられているとともに、上記筐体の底壁と上記記憶装置との間の隙間に上記ケーブルが通っている。
【発明の効果】
【０００７】
本発明によれば、記憶装置に衝撃を伝え難くすることができるとともに、記憶装置とコネクタとの位置合わせを容易に行うことができる電子機器が得られる。
【発明を実施するための最良の形態】
【０００８】
以下、本発明の一実施形態を、電子機器としてのポータブルコンピュータに適用した図１乃至図８を参照して説明する。図１は、ノート型のポータブルコンピュータ１を開示している。このポータブルコンピュータ１は、本体ユニット２と、ディスプレイユニット３とを備えている。
【０００９】
図１に示すように、本体ユニット２は、例えば机の天板のような設置面（図示せず）に設置可能な第１の筐体１０を有している。第１の筐体１０は、前壁１０ａ、この前壁１０ａと対向する後壁１０ｂ、一対の側壁１０ｃ，１０ｄ、上壁１０ｅ、及び、この上壁１０ｅと対向する底壁１０ｆを有して偏平な箱状をなしている。上壁１０ｅは、パームレスト１１とキーボード取付け部１２とを有している。パームレスト１１は、第１の筐体１０の前半部において、この第１の筐体１０の幅方向に沿って延びている。キーボード取付け部１２は、パームレスト１１の後方に位置している。キーボード取付け部１２には、キーボード１３が取付けられている。
【００１０】
第１の筐体１０は、その後方に、幅方向に離間する一対のディスプレイ支持部１４ａ，１４ｂを有している。これらディスプレイ支持部１４ａ，１４ｂは、第１の筐体１０の後側の角部を切り欠くように形成された凹みにて構成されている。
【００１１】
ディスプレイユニット３は、第２の筐体２０と、この第２の筐体２０の内部に収容される表示装置としての液晶表示装置２１とを備えている。第２の筐体２０は、後述する開き位置（図１参照）において前側となる前壁２０ａ、この前壁２０ａと対向する背壁２０ｂ、一対の側壁２０ｃ，２０ｄ、及び、一対の端壁２０ｅ，２０ｆを有して偏平な箱状に形成されている。前壁２０ａには、表示用の開口部２２が設けられている。この開口部２２は、前壁２０ａの大部分にわたる大きさを有している。この開口部２２を通じて液晶表示装置２１の表示画面２１ａが第２の筐体２０の外方に露出されている。
【００１２】
第２の筐体２０は、その一端部（後述する開き位置において下端部）に、一対の脚部２３ａ，２３ｂを有している。これら脚部２３ａ，２３ｂは、第２の筐体２０の幅方向に離間している。脚部２３ａ，２３ｂは、第１の筐体１０のディスプレイ支持部１４ａ，１４ｂに導かれ、第１の筐体１０の後端部にヒンジ（図示せず）を介して夫々回動可能に支持されている。
【００１３】
そのため、ディスプレイユニット３は、パームレスト１１やキーボード１３を上方から覆うように倒される閉じ位置と、パームレスト１１やキーボード１３を露出させるように起立する開き位置とにわたって回動可能となっている。なお、図１では、ポータブルコンピュータ１を上記開き位置で示している。
【００１４】
図２乃至図４に示すように、キーボード取付け部１２は、底部１２ａを有する凹状に形成されている。キーボード取付け部１２の底部１２ａには、一方の側壁１０ｄ側に寄せて開口部３１が設けられているとともに、この開口部３１の前側の縁部と連続する切り欠き部３２が設けられている。上記開口部３１は、後述するハードディスクドライブ５１を収容する空間Ｓ（図４参照）を確保するためのものである。すなわち、上記開口部３１により、底部１２ａの厚さ分だけ上記空間Ｓを広くすることができる。上記切り欠き部３２は、キーボード１３を取り外した状態において、後述する第２の凸部３４ｂ及び第２のボス３５ｂを外方に露出させるためのものである。
【００１５】
図３に示すように、第１の筐体１０の底壁１０ｆは、上記開口部３１と対向する領域に、下側に突出する湾曲部３３を有している。また、図４に示すように、底壁１０ｆの内面からは、第１及び第２の凸部３４ａ，３４ｂと第１及び第２のボス３５ａ，３５ｂとが上向きに突出している。これら凸部３４ａ，３４ｂ及びこれらボス３５ａ，３５ｂは、開口部３１の縁部又は切り欠き部３２と対応する位置に設けられている。
【００１６】
詳しくは、第１のボス３５ａは、第１の凸部３４ａと隣接するように設けられているとともに、第２のボス３５ｂは、第２の凸部３４ｂと隣接するように設けられている。第１の凸部３４ａ及び第１のボス３５ａは、上記開口部３１の後側の縁部と対応する位置に設けられている。第１の凸部３４ａ及び第１のボス３５ａは、キーボード１３を取り外した状態において、上記開口部３１を介して外方に露出している。第２の凸部３４ｂ及び第２のボス３５ｂは、上記切り欠き部３２と対応する位置に設けられている。第２の凸部３４ｂ及び第２のボス３５ｂは、キーボード１３を取り外した状態において、上記切り欠き部３２を介して外方に露出している。
【００１７】
また、本体ユニット２は、制御部としてのプリント配線板５０、記憶装置としてのハードディスクドライブ（以下、ＨＤＤという）５１、ＨＤＤ５１に接続される第１のコネクタ５３、この第１のコネクタ５３に接続される第１のケーブル５４、図示しない拡張用機器をプリント配線板５０と電気的に接続させるためのＵＳＢコネクタのような第２のコネクタ５５、この第２のコネクタ５５に接続される第２のケーブル５６、及びフロッピーディスクドライブ（図示せず）等を備えている。
【００１８】
プリント配線板５０は、例えばキーボード１３の下方に他方の側壁１０ｃ側に寄せて配置されているとともに、第１の筐体１０の底壁１０ｆにねじ止めされている。すなわち、プリント配線板５０は、キーボード取付け部１２の底部１２ａにより覆われている。
【００１９】
ＨＤＤ５１としては、例えば、１．８インチ４０ＧバイトのＨＤＤを採用することができる。ＨＤＤ５１は、樹脂製のケース６０に収容された状態で、本体ユニット２の内部に収容されている。ケース６０及びこのケース６０に支持されたＨＤＤ５１は、上記空間Ｓに設けられている。すなわち、ケース６０及びこのケース６０に支持されたＨＤＤ５１は、キーボード１３の下方に一方の側壁１０ｄ側に寄せて設けられている。
【００２０】
図５乃至図８に示すように、ケース６０は、矩形状の上壁６０ａと、一対の側壁６０ｂ，６０ｃと、一対の端壁６０ｄ，６０ｅと、一対の鍔部６０ｆ，６０ｇとを有しており、下側が開放している。
【００２１】
上壁６０ａは、１以上例えば６つの孔部６１を有している。これら孔部６１は、ケース６０を軽量化するための肉抜き用の孔として機能する。また、上壁６０ａには、その外面（すなわち上面）に、キーボード１３を受けるためのリブ６２を有している。リブ６２は、上壁６０ａの外面の周縁部及び孔部６１の開口縁部に設けられている。
【００２２】
上壁６０ａの一端部及び一方の側壁６０ｂの一端部には、長手方向に張り出す張り出し部６３が設けられている。また、上壁６０ａは、他端部に切り欠き部６４を有している。一対の端壁６０ｄ，６０ｅは、下側に開放する切り欠き部６５，６６を夫々有している。これら切り欠き部６５，６６は、端壁６０ｄ，６０ｅの大部分にわたる大きさを有している。上壁６０ａの切り欠き部６４は一方の端壁６０ｄの切り欠き部６５と連続している。
【００２３】
図５に示すように、上壁６０ａの切り欠き部６４には、下側に向けて張り出す第１の爪部６７が設けられている。第１の爪部６７は、ＨＤＤ５１を厚み方向に挟み込むように、ＨＤＤ５１の下面に係合する。一対の側壁６０ｂ，６０ｃの内面からは、第１の爪部６７側に向けて張り出す突き当て壁６８ａ，６８ｂが突出している。また、一対の側壁６０ｂ，６０ｃの内面からは、図７に示すように、ＨＤＤ５１の上面を取り外し可能に保持する一対の爪部（以下、第２の爪部と言う）６９ａ，６９ｂが突出しているとともに、図８に示すように、ＨＤＤ５１の下面を支持する一対の爪部（以下、第３の爪部と言う）７０ａ，７０ｂが突出している。第２及び第３の爪部６９ａ，６９ｂ，７０ａ，７０ｂは、ＨＤＤ５１がケース６０の上壁６０ａと接触しないように、ＨＤＤ５１を保持する。
【００２４】
ＨＤＤ５１は、他方の端壁６０ｅと突き当て壁６８ａ，６８ｂとの間に挟まれるとともに、第１乃至第３の爪部６７，６９ａ，６９ｂ，７０ａ，７０ｂに保持された状態で、ケース６０に支持されている。端壁６０ｃと突き当て壁６８ａ，６８ｂとに挟まれることにより、ＨＤＤ５１はその長手方向の動きが拘束される。ＨＤＤ５１が有する一対の鍔部５１ｂを第２の爪部６９ａ，６９ｂと第３の爪部７０ａ，７０ｂとにより挟むことで、ＨＤＤ５１はその幅方向の動きが拘束される。また、第１の爪部６７がＨＤＤ５１の下面に係合することで、上記ケース６０によるＨＤＤ５１の支持が補完されている。
【００２５】
ところで、ＨＤＤ５１は、プリント配線板５０と電気的に接続するためのコネクタ（以下、ＨＤＤコネクタという）５２を備えている。ＨＤＤ５１は、ＨＤＤコネクタ５２を他方の端壁６０ｅの切り欠き部３２から突出させた姿勢でケース６０に保持されている。すなわち、ＨＤＤコネクタ５２は、ケース６０の外方に露出している。
【００２６】
また、ＨＤＤ５１は、記憶容量によりその厚さが異なる。１．８インチ４０ＧバイトのＨＤＤ５１が、上記一対の鍔部５１ｂを備えるとともに、上記一対の鍔部５１ｂの間の本体部５１ｃが鍔部５１ｂよりも厚く形成されているのに対し、１．８インチ２０ＧバイトのＨＤＤ（図示せず）は、その全域において、１．８インチ４０ＧバイトのＨＤＤ５１の鍔部５１ｂと略等しい厚さに形成されている。上記ケース６０は、１．８インチ４０ＧバイトのＨＤＤ５１の鍔部５１ｂを第２の爪部６９ａ，６９ｂと第３の爪部７０ａ，７０ｂとにより挟むことでＨＤＤ５１を保持するように形成している。そのため、このケース６０によって、１．８インチ４０ＧバイトのＨＤＤ５１だけでなく、１．８インチ２０ＧバイトのＨＤＤもまた保持させることができる。
【００２７】
一対の鍔部６０ｆ，６０ｇは、ケース６０の両側から水平方向外側に張り出すように設けられている。詳しくは、一方の鍔部６０ｆは、上記張り出し部６３の外面から水平方向外側に張り出している。この鍔部６０ｆは、上記第１の凸部３４ａが貫通する第１の孔部７１ａと、上記第１のボス３５ａにねじ込むねじ３６ａ（図２参照）が貫通する第１のねじ孔７２ａとを有している。他方の鍔部６０ｇは、他方の側壁１０ｃの外面から水平方向外側に張り出している。この鍔部６０ｇは、上記第２の凸部３４ｂが貫通する第２の孔部７１ｂと、上記第２のボス３５ｂにねじ込むねじ３６ｂ（図２参照）が貫通する第２のねじ孔７２ｂとを有している。
【００２８】
ＨＤＤ５１及びこのＨＤＤ５１を支持したケース６０は、第１及び第２の孔部７１ａ，７１ｂに第１及び第２の凸部３４ａ，３４ｂを夫々貫通させた状態で、第１の筐体１０の内部に収容されている。ケース６０は、凸部３４ａ，３４ｂに支持されて、第１の筐体１０に対して位置決めされる。また、これに伴い、ＨＤＤ５１は、ＨＤＤコネクタ５２を第１の筐体１０の側壁１０ｄと対向させた姿勢で位置決めされる。
【００２９】
また、第１及び第２のねじ孔７２ａ，７２ｂを貫通させたねじ３６ａ，３６ｂをボス３５ａ，３５ｂにねじ込むことにより、ケース６０は、第１の筐体１０に固定されている。したがって、ねじ３６ａ，３６ｂを外すだけで、ケース６０及びこのケースに支持されるＨＤＤ５１を第１の筐体１０から簡単に取り外すことができる。
【００３０】
ところで、第１の筐体１０の底壁１０ｆは、上述のように、湾曲部３３を有している。そのため、第１の筐体１０に収容されたケース６０は、その４つの角部７３において、底壁１０ｆとキーボード１３との間に挟まれることとなる。なお、図３では、ケース６０の４つの角部７３のうちの２つの角部７３のみ示しているが、図示しない２つの角部７３も同様に、底壁１０ｆとキーボード１３との間に挟まれている。したがって、第１の筐体１０の底壁１０ｆとＨＤＤ５１との間には、隙間Ｓ１が設けられている。また、上述のように、ＨＤＤ５１は、ケース６０の上壁６０ａと接触していない。したがって、ケース６０の上壁６０ａとＨＤＤ５１との間には、隙間Ｓ２が設けられている。
【００３１】
このように、第１の筐体１０の底壁１０ｆとＨＤＤ５１との間に隙間Ｓ１が設けられているとともに、ケース６０の上壁６０ａとＨＤＤ５１との間に隙間Ｓ２が設けられているため、第１の筐体１０に衝撃が入力されても、ＨＤＤ５１にこの外部からの衝撃が伝わり難い。
【００３２】
また、ＨＤＤ５１は、キーボード１３の操作時の衝撃が伝わり易いキーボード１３の下方に位置している。しかしながら、上述のように、ケース６０の上壁６０ａとＨＤＤ５１との間に隙間Ｓ２が設けられているため、キーボード１３の操作時の衝撃もまたＨＤＤ５１には伝わり難い。しかも、キーボード１３はリブ６２によって良好に支持することができる。
【００３３】
さらに、ケース６０が樹脂製であるので、第１の筐体１０に入力された衝撃やキーボード１３の操作時の衝撃がリブ６２や角部７３を介してケース６０に伝わったとしても、この衝撃は、ケース６０の撓みにより良好に吸収されるので、ＨＤＤ５１には伝わり難い。
【００３４】
図２乃至図４に示すように、プリント配線板５０からは、第１のケーブル５４が延出している。第１のケーブル５４としては、フィルムのように薄く且つ柔軟な（フレキシブルな）ケーブルが採用されている。第１のケーブル５４の先端部には、ＨＤＤコネクタ５２と電気的且つ機械的に接続する第１のコネクタ５３が設けられている。
【００３５】
また、プリント配線板５０からは、第２のケーブル５６が延出している。第２のケーブル５６としては、第１のケーブル５４と同様に、フィルムのように薄く且つ柔軟な（フレキシブルな）ケーブルが採用されている。第２のケーブル５６は、１以上例えば２つの独立する配線（図示せず）を有している。第２のケーブル５６の先端部には、これら配線と夫々接続するように２つの第２のコネクタ５５が設けられている。
【００３６】
図２に示すように、これら第２のコネクタ５５は、第１の筐体１０の側壁１０ｄと対向するように互いに並べて実装されている。この側壁１０ｄには、これら第２のコネクタ５５と夫々向かい合う位置に、これら第２のコネクタ５５を外方に露出させるための２つの開口部１５が互いに並べて設けられている。
【００３７】
第１のケーブル５４は、第１の筐体１０の底壁１０ｆとＨＤＤ５１との間の隙間Ｓ１を通って、第１の筐体１０の側壁１０ｄ側に延出している。第１のケーブル５４の先端部に設けられた第１のコネクタ５３は、ＨＤＤコネクタ５２と電気的且つ機械的に接続している。このように、第１の筐体１０の底壁１０ｆとＨＤＤ５１との間の隙間Ｓ１が設けられているため、第１のケーブル５４を配線する空間を別途設けることなく、第１のケーブル５４をＨＤＤコネクタ５２側に延出させることができる。
【００３８】
しかも、ＨＤＤ５１は、第１の筐体１０に対して位置決めがなされているため、ＨＤＤコネクタ５２は自由度を有していないが、第１のケーブル５４は、フレキシブルなケーブルであるため、第１のコネクタ５３は、３次元方向に自由度を有している。したがって、第１のケーブル５４がＨＤＤコネクタ５２と第１のコネクタ５３との間のずれを吸収するため、ＨＤＤ５１が第１の筐体１０に固定されていても、ＨＤＤコネクタ５２と第１のコネクタ５３との位置合わせが容易である。なお、ＨＤＤコネクタ５２と第１のコネクタ５３とを接続させた後には、第１のコネクタ５３を第１の筐体１０の底壁１０ｆ等に固定してもよい。
【００３９】
第２のケーブル５６もまた、第１の筐体１０の底壁１０ｆとＨＤＤ５１との間の隙間Ｓ１を通って、第１の筐体１０の側壁１０ｄ側に延出している。そして、第２のケーブル５６の先端部に設けられた２つの第２のコネクタ５５は、２つの開口部１５を介して第１の筐体１０の外方に夫々露出している。このように、第１の筐体１０の底壁１０ｆとＨＤＤ５１との間の隙間Ｓ１が設けられているため、第２のケーブル５６を配線する空間を別途設けることなく、第２のケーブル５６を配線できる。しかも、第２のケーブル５６は、フレキシブルなケーブルであるため、第２のコネクタ５５と開口部２２との位置合わせが容易である。
【００４０】
以上のように、上記構成のポータブルコンピュータ１によれば、第１の筐体１０の底壁１０ｆとＨＤＤ５１との間、及び、ケース６０の上壁６０ａとＨＤＤ５１との間に夫々隙間Ｓ１，Ｓ２が設けられているとともに、第１の筐体１０の底壁１０ｆとＨＤＤ５１との間の隙間Ｓ１にフレキシブルな第１のコネクタ５３が通っている。したがって、ＨＤＤ５１に衝撃が伝わり難く、しかも、ＨＤＤ５１と第１のコネクタ５３との位置合わせを容易に行うことができる。
【００４１】
また、ケース６０の上壁６０ａとＨＤＤ５１との間に夫々隙間Ｓ２が設けられているため、キーボード１３の操作時の衝撃がＨＤＤ５１に伝わり難い構造となっている。したがって、ＨＤＤ５１の誤動作や破損を抑制しつつ、ＨＤＤ５１をキーボード１３の下方に配置させることができる。
【００４２】
さらに、ケース６０の角部７３が底壁１０ｆとキーボード１３との間に挟まれている。このようにすることにより、ケース６０と第１の筐体１０との接触を少なくすることができる。したがって、第１の筐体１０に入力された衝撃をケース６０に伝え難くすることができる。しかも、ケース６０の角部７３はケース６０の他の部分と比べて強度が高い。そのため、ケース６０の角部７３が底壁１０ｆとキーボード１３との間に挟まれる構造とすることで、衝撃が入力されたとしてもＨＤＤ５１を良好に保護することができるとともに、キーボード１３からの押し圧強度を保った状態で、このキーボード１３を下側から支持することができる。
【００４３】
また、ケース６０は、その上壁６０ａの外面にキーボード１３を受けるリブ６２を有している。したがって、リブ６２によりキーボード１３を支持することができる。
【００４４】
さらに、ケース６０は、その上壁６０ａに孔部６１を有しているため、ケース６０を軽量化することができる。また、この際、リブ６２を孔部６１の開口縁部に設けることにより、ケース６０の軽量化を実現させながら、リブ６２によってキーボード１３を支持することができる。
【００４５】
しかも、ケース６０は、下側が開放していることため、ケース６０を軽量化することができる。また、第１の筐体１０の底壁１０ｆとＨＤＤ５１との間には隙間Ｓ１が設けられているため、ケース６０の下側を開放させても、第１の筐体１０の底壁１０ｆ側から入力された衝撃がＨＤＤ５１に直接伝えられることは無い。
【００４６】
また、ケース６０は、樹脂製であるため、第１の筐体１０に入力された衝撃がケース６０に伝えられても、ケース６０の撓みにより上記衝撃を吸収させることができる。したがって、ＨＤＤ５１をより良好に保護することができる。
【００４７】
さらに、ケース６０は、側壁６０ｂ，６０ｃに、ＨＤＤ５１に取り外し可能に保持する爪部６９ａ，６９ｂ，７０ａ，７０ｂが設けられている。そのため、ケース６０の上壁６０ａとＨＤＤ５１との間に隙間Ｓ２を設けた状態で、このケース６０によりＨＤＤ５１を保持させることができる。
【００４８】
また、第２のケーブル５６は、第１のケーブル５４と同様に、第１の筐体１０の底壁１０ｆとＨＤＤ５１との間の隙間Ｓ１を通っている。このように、第１の筐体１０の底壁１０ｆとＨＤＤ５１との間の隙間Ｓ１が設けられているため、第１の筐体１０に拡張用機器接続用等の第２のコネクタ５５を設ける際、別途空間を確保することなく、この第２のコネクタ５５と接続する第２のケーブル５６を上記開口部１５側に向けて配線することができる。
【００４９】
なお、本実施形態では、ＨＤＤ５１をキーボード１３の下方に配置したが、ＨＤＤ５１は、パームレスト１１の下方に位置してもよい。このようにすることにより、第１の筐体１０の外部から入力される衝撃やパームレスト１１に手を乗せた時の衝撃等がＨＤＤ５１に伝わるのを抑制することができ、しかも、ＨＤＤ５１と第１のコネクタ５３との位置合わせを容易に行うことができる。
【００５０】
なお、記憶装置はＨＤＤに限定されるものではなく、記憶装置全般に広く適用することができる。また、本発明に係る電子機器は、ポータブルコンピュータに制約されるものではなく、電子手帳やＰＤＡ等、記憶装置を備える種々の電子機器に広く適用することができる。
【図面の簡単な説明】
【００５１】
【図１】本発明の一実施形態に係るポータブルコンピュータを示す斜視図。
【図２】図１のポータブルコンピュータが備える本体ユニットをキーボードが取り外された状態で示す斜視図。
【図３】図１のポータブルコンピュータが備える本体ユニットを示す断面図。
【図４】図１のポータブルコンピュータが備える本体ユニットの一部をキーボード、ＨＤＤ、及びケースが取り外された状態で示す斜視図。
【図５】図１のポータブルコンピュータが備えるＨＤＤ及びこのＨＤＤを支持するケースを下側から見た斜視図。
【図６】図１のポータブルコンピュータが備えるＨＤＤ及びこのＨＤＤを支持するケースを上側から見た斜視図。
【図７】図６中VII-VII線に沿って断面して示す断面図。
【図８】図６中VIII-VIII線に沿って断面して示す断面図。
【符号の説明】
【００５２】
１…ポータブルコンピュータ（電子機器）、  １０…第１の筐体、  １０ｅ…第１の筐体の上壁、  １０ｆ…第１の筐体の底壁、  １１…パームレスト、  １３…キーボード、  ３４ａ，３４ｂ…凸部、  ５１…ＨＤＤ（記憶装置）、  ５３…第１のコネクタ、  ５４…第１のケーブル、  ５５…第２のコネクタ、  ５６…第２のケーブル、  ６０…ケース、  ６０ａ…ケースの上壁、  ６０ｂ，６０ｃ…ケースの側壁、  ６１…孔部、  ６２…リブ、  ６９ａ，６９ｂ…第２の爪部、  ７０ａ，７０ｂ…第３の爪部、  ７３…角部、  Ｓ１，Ｓ２…隙間
【図１】
2005157790.tif 000003
【図２】
2005157790.tif 000004
【図３】
2005157790.tif 000005
【図４】
2005157790.tif 000006
【図５】
2005157790.tif 000007
【図６】
2005157790.tif 000008
【図７】
2005157790.tif 000009
【図８】
2005157790.tif 000010